(57)【要約】      （修正有）【課題】端子モジュールとLEDモジュールは、表面実装技術(SMT)により同時に素早く印刷回路板上にハンダ固定される為、電気接続器全体の製造組立てが便利になる電気接続器セットの提供。【解決手段】端子モジュール2は複数の接触端子21を配置する基本体20を含んでおり、接触端子21は固定部210を具え、固定部210の一端に形成した弾性接触部211は、電気差込みと相互に電気接触し、固定部210のもう一端に形成したハンダ末端部212は、印刷回路板上にハンダ固定される。また、LEDモジュール3は、支持部300を具える伝導端子30を含み、その支持部300の一端に形成したLED接触部302はLED部品31と連結しており、支持部300のもう一端に形成したハンダ末端部304は印刷回路板上にハンダ固定し、ハンダ末端部304と接触端子21のハンダ末端部212は同一水平面位置となり、端子モジュール2とLEDモジュール3は、表面実装技術により同時に素早く印刷回路板上にハンダ固定される。【選択図】図１
0003123545.tif 000002
【実用新案登録請求の範囲】
【請求項１】
印刷回路板とハンダ固定され、相整合した電気差込みと電気連結し、絶縁本体、端子モジュール及びLEDモジュールを構成要素とする電気接続器セットにおいて、
前記絶縁本体は、端子部収納部とモジュール配置箇所を設け、
前記端子モジュールは、前記端子部収納部上に配置され、複数の接触端子を配置する基本体を含んでおり、接触端子は固定部を具え基本体内に固定されており、固定部の一端の上方向に湾曲延伸した弾性接触部は、相整合した電気差込みと相互に電気連結しており、固定部のもう一端の後方に折り曲げ形成したハンダ末端部は、印刷回路板上にハンダ固定され、
前記モジュール配置部内に配置されるLEDモジュールは、支持部を具える伝導端子を含み、その支持部は一端が外側に曲がり前方向に挟込部を延伸させており、挟挟込部の一端には内側にLED接触部を突出させ、配置空間は各挟込部間に形成され、配置空間に配置されるLED部品は、LED接触部と電気接触しており、支持部のもう一端の後ろ向きに折れ曲がったハンダ末端部は印刷回路板とハンダ固定されており、ハンダ末端部と接触端子のハンダ末端部は同一水平面位置となることを特徴とする電気接続器セット。
【請求項２】
請求項１記載の電気接続器セットにおいて、前記LED部品の一端に配置される導光部品は、LED部品の発生する光源を伝えることを特徴とする電気接続器セット。
【請求項３】
請求項１記載の電気接続器セットにおいて、少なくとも一つの固定柱は、LED部品の一端且つ配置空間内に設けられることを特徴とする電気接続器セット。
【請求項４】
請求項１記載の電気接続器セットにおいて、前記絶縁本体は、上面、上面の対称位置にある底面、相互に連接する二つの側面、及び上面、底面と二つの側面に連接する背面を含んでおり、差込部配置空間は上面、底面、二つの側面と背面間にあり、相整合した電気差込みを配置する為のものであり、底面と背面に設けた端子部収納部には端子モジュールを収めることを特徴とする電気接続器セット。
【請求項５】
請求項４記載の電気接続器セットにおいて、絶縁本体の底面に設け基本体収納箇所を含む前記端子部収納部は、電気接続器端子部の基本体を収める為のもので、絶縁本体の背面に設け且つ基本体収納箇所に通じている複数の凹溝は、電気接続器端子部の接触端子の一部であるハンダ末端部をそれぞれ配置するものであり、基本体配置部の各両側に設けられ基本体配置部方向に突出している少なくとも一つの嵌合部品は、基本体と嵌合固定することを特徴とする電気接続器セット。
【請求項６】
請求項１記載の電気接続器セットにおいて、上下二つの蓋体により構成される前記基本体は、複数の接触端子を挟み込んでおり、基本体両側にはそれぞれ少なくとも一つの基本体嵌合部品が外側に突出していることを特徴とする電気接続器セット。
【請求項７】
請求項１記載の電気接続器セットにおいて、前記モジュール配置部は絶縁本体の背面で側面に近い箇所に設けられ、LEDモジュールを配置することを特徴とする電気接続器セット。
【請求項８】
請求項１記載の電気接続器セットにおいて、絶縁本体の外部を被冠するカバー体は、上面、底面、二つの側面より構成され、上面、底面と二つの側面間に形成される本体設置部は、絶縁本体を収めることを特徴とする電気接続器セット。
【請求項９】
請求項８記載の電気接続器セットにおいて、前記カバー体の側面にはそれぞれ少なくとも一つの嵌合孔を設け、且つ絶縁本体の側面には、嵌合孔に嵌合する少なくとも一つの凸体を設けることを特徴とする電気接続器セット。
【請求項１０】
請求項８記載の電気接続器セットにおいて、前記カバー体の二つの側面端箇所で本体設置部内に少なくとも一つの嵌合体を延伸させ、絶縁本体の嵌合体に相対する側面箇所には内側横方向の溝を凹設することを特徴とする電気接続器セット。
【請求項１１】
請求項８記載の電気接続器セットにおいて、前記カバー体には底面方向に延伸する少なくとも一つの挿入連結体をそれぞれの側面に設け、印刷回路板上にはこの挿入連結体と相互に結合する挿入溝を設けることを特徴とする電気接続器セット。
【請求項１２】
請求項８記載の電気接続器セットにおいて、前記カバー体は、少なくとも一つのカバー体の側面に突設した固定部を含むことを特徴とする電気接続器セット。
【請求項１３】
請求項８記載の電気接続器セットにおいて、前記カバー体は、カバー体上方に位置しLEDモジュールの固定柱に対応する少なくとも一つの覆板を含み、覆板両側にはそれぞれ折れ曲がった嵌入箇所を形成し、並びにカバー体の側面には嵌入箇所に結合する固定孔を設けることを特徴とする電気接続器セット。
【考案の詳細な説明】
【技術分野】
【０００１】
本考案は、電気接続器セットに関するもので、特に表面実装技術(SMT)により印刷回路板にハンダ固定する端子モジュール及びLEDモジュールの電気接続器セットを提案するものである。
【背景技術】
【０００２】
電子産業の製造技術の急激な発展に伴い、人工で商品を製造する過去のやり方では電子商品製造メーカーの要求する製造コストや生産効率に応じることができなくなり、現在では、機械生産が人工生産方式に取って代わるようになった。現在の電子製品製造方式の一つである表面実装技術(SMT)は、精密性、高効率性の製造技術と全オートメーション製造の流れを持っており、大量且つ素早く電子製品を生産できる故、現在電子製品メーカーでは広く採用されている。
【０００３】
従来の電気接続器である米国特許No.6,478,611号を例にとると、この種の電気接続器は、端子部を収める絶縁本体、発光ダイオード(LED)モジュールと絶縁本体を覆う伝導カバーを含んでおり、絶縁本体両側には、下方の穴に繋がっている通り道を設け、各LEDモジュールの構成要素である固定装置とLED部品は、それぞれ絶縁本体の通り道と穴に配置され、絶縁本体と結合している。端子部のハンダ末端部は、LEDモジュールのハンダ末端部と垂直を成し、且つ挿入方式により印刷回路板とハンダ接合する。
【考案の開示】
【考案が解決しようとする課題】
【０００４】
本考案の目的は、電気接続器セットを提案することにあり、それは、絶縁本体1、端子モジュール2及びLEDモジュール3の結合により構成される。絶縁本体1は、上面10、上面10の対称位置にある底面11、相互に連接する二つの側面12a、12b、及び上面10、底面11と二つの側面12a、12bに連接する背面13を含んでおり、差込部配置空間14は上面10、底面11、二つの側面12a、12bと背面13の間にあり、相整合した電気差込みを配置する為のものである。底面11と背面13の差込部配置空間14方向箇所に端子部収納部15とモジュール配置箇所152を設け、端子モジュール2とLEDモジュール3をそれぞれ収める。端子モジュール2は複数の接触端子21を配置する基本体20を含んでおり、接触端子21は固定部210を具え基本体20内に固定されており、固定部210の一端の上方向に湾曲延伸した弾性接触部211は、電気差込みの接触部と相互に電気接触し、固定部210のもう一端の後方に折り曲げ延伸したハンダ末端部212は、印刷回路板上の対応する接点にハンダ固定される。
【０００５】
本考案の電気接続器セットにおいて、LEDモジュール3は、支持部300を具える伝導端子30を含み、その支持部300の一端は湾曲しLED接触部302を突設させてLED部品31と連結しており、支持部300のもう一端の後ろ向きに折れ曲がったハンダ末端部304と印刷回路板上の対応する接点をハンダ固定すると、ハンダ末端部304と接触端子21のハンダ末端部212は同一水平面位置となることを特徴とする。
【０００６】
本考案の電気接続器組立ては、端子モジュール2とLEDモジュール3は、表面実装技術(SMT)により同時に素早く印刷回路板上にハンダ固定される為、電気接続器100全体の製造組立てが更に便利になる。
【課題を解決するための手段】
【０００７】
請求項１の考案は、印刷回路板とハンダ固定され、相整合した電気差込みと電気連結し、絶縁本体、端子モジュール及びLEDモジュールを構成要素とする電気接続器セットにおいて、
前記絶縁本体は、端子部収納部とモジュール配置箇所を設け、
前記端子モジュールは、前記端子部収納部上に配置され、複数の接触端子を配置する基本体を含んでおり、接触端子は固定部を具え基本体内に固定されており、固定部の一端の上方向に湾曲延伸した弾性接触部は、相整合した電気差込みと相互に電気連結しており、固定部のもう一端の後方に折り曲げ形成したハンダ末端部は、印刷回路板上にハンダ固定され、
前記モジュール配置部内に配置されるLEDモジュールは、支持部を具える伝導端子を含み、その支持部は一端が外側に曲がり前方向に挟込部を延伸させており、挟挟込部の一端には内側にLED接触部を突出させ、配置空間は各挟込部間に形成され、配置空間に配置されるLED部品は、LED接触部と電気接触しており、支持部のもう一端の後ろ向きに折れ曲がったハンダ末端部は印刷回路板とハンダ固定されており、ハンダ末端部と接触端子のハンダ末端部は同一水平面位置となることを特徴とする電気接続器セットとしている。
請求項２の考案は、請求項１記載の電気接続器セットにおいて、前記LED部品の一端に配置される導光部品は、LED部品の発生する光源を伝えることを特徴とする電気接続器セットとしている。
請求項３の考案は、請求項１記載の電気接続器セットにおいて、少なくとも一つの固定柱は、LED部品の一端且つ配置空間内に設けられることを特徴とする電気接続器セットとしている。
請求項４の考案は、請求項１記載の電気接続器セットにおいて、前記絶縁本体は、上面、上面の対称位置にある底面、相互に連接する二つの側面、及び上面、底面と二つの側面に連接する背面を含んでおり、差込部配置空間は上面、底面、二つの側面と背面間にあり、相整合した電気差込みを配置する為のものであり、底面と背面に設けた端子部収納部には端子モジュールを収めることを特徴とする電気接続器セットとしている。
請求項５の考案は、請求項４記載の電気接続器セットにおいて、絶縁本体の底面に設け基本体収納箇所を含む前記端子部収納部は、電気接続器端子部の基本体を収める為のもので、絶縁本体の背面に設け且つ基本体収納箇所に通じている複数の凹溝は、電気接続器端子部の接触端子の一部であるハンダ末端部をそれぞれ配置するものであり、基本体配置部の各両側に設けられ基本体配置部方向に突出している少なくとも一つの嵌合部品は、基本体と嵌合固定することを特徴とする電気接続器セットとしている。
請求項６の考案は、請求項１記載の電気接続器セットにおいて、上下二つの蓋体により構成される前記基本体は、複数の接触端子を挟み込んでおり、基本体両側にはそれぞれ少なくとも一つの基本体嵌合部品が外側に突出していることを特徴とする電気接続器セットとしている。
請求項７の考案は、請求項１記載の電気接続器セットにおいて、前記モジュール配置部は絶縁本体の背面で側面に近い箇所に設けられ、LEDモジュールを配置することを特徴とする電気接続器セットとしている。
【０００８】
請求項８の考案は、請求項１記載の電気接続器セットにおいて、絶縁本体の外部を被冠するカバー体は、上面、底面、二つの側面より構成され、上面、底面と二つの側面間に形成される本体設置部は、絶縁本体を収めることを特徴とする電気接続器セットとしている。
請求項９の考案は、請求項８記載の電気接続器セットにおいて、前記カバー体の側面にはそれぞれ少なくとも一つの嵌合孔を設け、且つ絶縁本体の側面には、嵌合孔に嵌合する少なくとも一つの凸体を設けることを特徴とする電気接続器セットとしている。
請求項１０の考案は、請求項８記載の電気接続器セットにおいて、前記カバー体の二つの側面端箇所で本体設置部内に少なくとも一つの嵌合体を延伸させ、絶縁本体の嵌合体に相対する側面箇所には内側横方向の溝を凹設することを特徴とする電気接続器セットとしている。
請求項１１の考案は、請求項８記載の電気接続器セットにおいて、前記カバー体には底面方向に延伸する少なくとも一つの挿入連結体をそれぞれの側面に設け、印刷回路板上にはこの挿入連結体と相互に結合する挿入溝を設けることを特徴とする電気接続器セットとしている。
請求項１２の考案は、請求項８記載の電気接続器セットにおいて、前記カバー体は、少なくとも一つのカバー体の側面に突設した固定部を含むことを特徴とする電気接続器セットとしている。
請求項１３の考案は、請求項８記載の電気接続器セットにおいて、前記カバー体は、カバー体上方に位置しLEDモジュールの固定柱に対応する少なくとも一つの覆板を含み、覆板両側にはそれぞれ折れ曲がった嵌入箇所を形成し、並びにカバー体の側面には嵌入箇所に結合する固定孔を設けることを特徴とする電気接続器セットとしている。
【考案の効果】
【０００９】
本考案の電気接続器組立ては、電気接続器100の端子モジュール2とLEDモジュール3は、表面実装技術(SMT)により同時に素早く印刷回路板上にハンダ固定される為、電気接続器100全体の製造組立てが更に便利になることを特徴とする。
【考案を実施するための最良の形態】
【００１０】
図１に示すとおり、本考案実施例(1)に関する、絶縁本体1、端子モジュール2及びLEDモジュール3の構成要素により成る電気接続器100において、絶縁本体1は、上面10、上面10の対称位置にある底面11、二つが対称位置にある側面12a、12b、及び上面10、底面11と二つの側面12a、12bに連接する背面13を含み、差込部配置空間14は上面10、底面11、二つの側面12a、12bと背面13間にあり、相整合した電気差込み（未図示）を配置する為のものである。
【００１１】
引き続き図１を参照にすると、絶縁本体1の底面11と背面13箇所に端子部収納部15とモジュール配置箇所152を設置し、端子モジュール2とLEDモジュール3をそれぞれ収める。端子配置部15は絶縁本体1の底面11に設けられる基本体配置部150を含み、絶縁本体1の背面13に設置した凹溝151は、基本体配置部150と相互に通じており、モジュール配置部152は絶縁本体1の背面13で側面12aに近い箇所に設けられ、また、基本体配置部150の各両側に設けられ基本体配置部150方向に突出している少なくとも一つの嵌合部品153は、端子モジュール2を固定する為にある。
【００１２】
図１及び図２に示すとおり、端子モジュール2は、絶縁本体1の基本体配置部150内に配置される基本体20を含んでおり、本実施例において、上下二つの蓋体200、201により構成される基本体20は、複数の接触端子21を挟み込んでおり、基本体20両側にそれぞれ外側に突出した少なくとも一つの基本体嵌合部品202は、端子配置部15の嵌合部品153と嵌合固定する為のものである。接触端子21は固定部210を含んでおり、固定部210の一端の差込部配置空間14に向かって湾曲し延伸した弾性接触部211は、電気差込みの接触部と相互に電気接触し、固定部210のもう一端の後方に折り曲げ延伸したハンダ末端部212の一部は、絶縁本体1の凹溝151内に固定され、且つ印刷回路板上の対応する接点（未図示）にハンダ固定される。
【００１３】
図１及び図３を参照にすると、絶縁本体1のモジュール配置部152内に配置されるLEDモジュール3は、支持部300を具える伝導端子30を含み、その支持部300は一端が外側に曲がり前方向に挟込部301を延伸させており、挟込部301の一端には内側にLED接触部302を突出させ、配置空間303は挟込部301間に形成され、支持部300のもう一端の後ろ向きに折れ曲がったハンダ末端部304と印刷回路板上の対応する接点をハンダ固定すると、伝導端子30のハンダ末端部304と接触端子21のハンダ末端部212は同一水平面位置となる。
【００１４】
配置空間303内に配置されるLED部品31は、LED接触部302と電気接触しており、LED部品31の一端に配置される導光部品32は、LED部品31の発生する光源を伝えるものであり、LED部品31の一端、且つ配置空間303内に設けられて挟込部301に挟み込まれている固定柱33は、LED部品31を固定する為のものである。
【００１５】
図４及び図５に示すとおり、本考案の実施例(2)において、電気接続器100は絶縁本体1の外部を被冠するカバー体4を含む。上面40、底面41、側面42a、42b、及び上面40、底面41と側面42a、42b間に形成される本体設置部43の構成要素により成るカバー体4は、絶縁本体1を収める為のもので、カバー体4の側面42a、42bにはそれぞれ少なくとも一つの嵌合孔44を設け、且つ絶縁本体1の側面12a、12bには、嵌合孔44に嵌合する少なくとも一つの凸体16を設ける。また、カバー体4の側面42a、42b端箇所で本体設置部43内に嵌合体45を延伸させ、絶縁本体1の相対する側面12a、12b箇所には内側横方向に溝17を凹設しており、カバー体4を絶縁本体1に被冠した場合、その嵌合体45は溝17内に引っ掛けられると、カバー体4は絶縁本体1上で更に安定し定位する。
【００１６】
少なくとも一つの挿入連結体46はそれぞれ側面42a、42bに設け、且つ底面41方向に延伸しており、印刷回路板上には挿入連結体46と相互に結合する一つの挿入溝を設け、二つの側面42a、42bの外側方向に突出した少なくとも一つの固定部47により、電気接続器100と印刷回路板は更に安定した連結となる。カバー体4上にあり固定柱33に対応する覆板48は、固定柱33の離脱と電器信号障害の防止を行うものであり、覆板48両側にはそれぞれ折れ曲がった嵌入箇所480を形成し、二つの側面42a、42bの固定孔481にて連結固定する。
【００１７】
カバー体4の挿入連結体46により、電気接続器100は印刷回路板上に固定され、固定部47により電気接続器100と印刷回路板は更に安定した連結となる。
【図面の簡単な説明】
【００１８】
【図１】本考案の電気接続器セットに関する実施例(1)の立体分解図である。
【図２】本考案の電気接続器セットに関する実施例(1)の立体組立図である。
【図３】本考案の電気接続器セットに関する実施例(1)の伝導端子の拡大図である。
【図４】本考案の電気接続器セットに関する実施例(2)のカバー体の立体分解図である。
【図５】本考案の電気接続器セットに関する実施例(2)の立体組立図である。
【符号の説明】
【００１９】
１００      電気接続器
１          絶縁本体
１０        上面
１１        底面
１２ａ、１２ｂ  側面
１３        後面
１４        差込部配置空間
１５        端子配置部
１５０      基本体収納箇所
１５１      凹溝
１５２      モジュール配置部
１５３      嵌合部品
１６        凸体
１７        溝
２          端子モジュール
２０        基本体
２００、２０１  蓋体
２０２      基本体嵌合部品
２１        接触端子
２１０      固定部
２１１      弾性接触部
２１２      ハンダ末端部
３          LEDモジュール
３０        伝導端子
３００      支持部
３０１      挟込部
３０２      LED接触部
３０３      配置空間
３０４      ハンダ末端部
３１        LED部品
３２        導光部品
３３        固定柱
４          カバー体
４０        上面
４１        底面
４２ａ、４２ｂ  側面
４３        本体設置部
４４        嵌合孔
４５        嵌合体
４６        挿入連結体
４７        固定部
４８        覆板
４８０      嵌入箇所
４８１      固定孔
【図１】
0003123545.tif 000003
【図２】
0003123545.tif 000004
【図３】
0003123545.tif 000005
【図４】
0003123545.tif 000006
【図５】
0003123545.tif 000007